【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】  上部ガイド（１６）と炉心板（１８）とを有する原子炉（１０）の構造的構成要素を切断する切断装置（４０）において、
前記上部ガイド（１６）は、上部表面を有して、複数の開口部（３６）を形成する複数の相互接続する梁（３４）を含み、
前記炉心板（１８）は、上部表面を有して、複数の開口部（３８）と複数の支持梁（３９）とを含み、
前記切断装置は、
単軸マニプレータ（４４）に移動可能に連結された超高圧研磨ウォータジェット切断ノズル（４２）と、
前記切断ノズル（４２）と整列するための細長開口部（９６）を有する細長収集室（９４）を備えた収集フード（４６）とを具備し、
前記マニプレータ（４４）及び前記収集フード（４６）とが、前記上部ガイド（１６）と炉心板（１８）の少なくとも一方にあるところの隣接する開口部（３６）の内部に位置するように配置されることにより、前記切断ノズル（４２）が前記収集フード（４６）と整列することを特徴とする切断装置（４０）。
【請求項２】  支持枠（４８）を更に含み、前記マニプレータ（４４）は、前記支持枠（４８）と連結され、前記収集フード（４６）は、前記支持枠（４８）と移動可能に連結され、前記支持枠（４８）は、前記上部ガイド（１６）及び前記炉心板（１８）のうちの少なくとも１つの前記上部表面に係合するように配置される、ことを特徴とする請求項１に記載の切断装置（４０）。
【請求項３】  前記マニプレータ（４４）は、線形枠（８４）と、前記線形枠（８４）に移動可能に連結され、前記切断ノズル（４２）が連結する、ノズル支持板（８６）と、前記ノズル支持板（８６）に作動的に連結されたモータ（８８）と、を含むことを特徴とする請求項１に記載の切断装置（４０）。
【請求項４】  前記モータ（８８）は、駆動ベルト（９０）又はボールねじにより前記ノズル支持板（８６）に作動的に連結されることを特徴とする請求項３に記載の切断装置（４０）。
【請求項５】  前記ノズル支持板（８６）は、前記線形枠（８４）の第１端（１１４）から第２端（１１６）へ移動可能であることを特徴とする請求項３に記載の切断装置（４０）。
【請求項６】  前記収集フード（４６）は、
前記収集室（９４）及び前記支持枠（４８）に連結され、前記収集室開口部（９６）を上部ガイド梁（３４）及び炉心板梁（３９）のうちの少なくとも１つに隣接して位置決めするために配置される、少なくとも１つの位置決めシリンダ（９８）と、を含むことを特徴とする請求項１に記載の切断装置（４０）。
【請求項７】  前記収集フード（４６）は、出口（１００）を更に含むことを特徴とする請求項６に記載の切断装置（４０）。
【請求項８】  上部ガイド（１６）と炉心板（１８）とを有する原子炉（１０）の構造的構成要素を切断する切断装置（４０）において、
前記上部ガイド（１６）は、複数の開口部（３６）を形成する複数の相互接続する梁（３４）を含み、前記炉心板（１８）は、複数の開口部（３８）及び複数の支持梁（３９）を有し、
この切断装置（４０）は、
前記上部ガイド（１６）と前記炉心板（１８）の少なくとも一方と係合するように配置された支持枠（４８）と、
前記支持枠（４８）に連結された単軸マニプレータ（４４）と、
前記マニプレータ（４４）に移動可能に連結された超高圧研磨ウォータジェット切断ノズル（４２）と、
前記支持枠（４８）に移動可能に連結され、前記切断ノズル（４２）と整列するように設置された開口部（９６）を持つ収集室（９４）を有する収集フード（４６）とを備え、
前記収集フード（４６）と前記マニプレータ（４４）が、前記上部ガイド（１６）及び前記炉心板（１８）の少なくとも一方の隣接する開口部（３６，３８）の内部に位置するように配置される、ことを特徴とする切断装置（４０）。
【請求項９】  前記マニプレータ（４４）は、線形枠（８４）と、前記線形枠（８４）に移動可能に連結され、前記切断ノズル（４２）が連結するノズル支持板（８６）と、前記ノズル支持板（８６）に作動的に連結されたモータ（８８）と、を含むことを特徴とする請求項８に記載の切断装置（４０）。
【請求項１０】  前記モータ（８８）は、駆動ベルト（９０）又はボールねじによりノズル支持板（８６）に作動的に連結されることを特徴とする請求項９に記載の切断装置。
【請求項１１】  前記ノズル支持板（８６）は、前記線形枠（８４）の第１端（１１４）から第２端（１１６）まで移動可能であることを特徴とする請求項９に記載の切断装置（４０）。
【請求項１２】  前記収集フード（４６）は、
前記切断ノズル（４２）と整列するように位置された細長開口部（９６）を持つ細長収集室（９４）と、
前記収集室開口部（９６）を上部ガイド梁（３４）と炉心板梁（３９）のうちの少なくとも１つに隣接して置くように配置され、前記収集室（９４）と前記支持枠（４８）とに連結された、少なくとも１つの位置決めシリンダ（９８）と、
を含むことを特徴とする請求項８に記載の切断装置（４０）。
【請求項１３】  前記収集フード（４６）は、出口（１００）を更に含むことを特徴とする請求項１２に記載の切断装置（４０）。
【請求項１４】  切断装置（４０）を利用して原子炉（１０）の構造的構成要素を切断する方法であって、
前記切断装置（４０）は、原子炉上部ガイド（１６）と原子炉炉心板（１８）の少なくとも一方に係合するようにされた支持枠（４８）と、前記支持枠（４８）に連結された単軸マニプレータ（４４）と、前記マニプレータ（４４）に移動可能に連結する超高圧研磨ウォータジェット切断ノズル（４２）と、前記支持枠（４８）に移動可能に連結された収集フード（４６）とを有し、
前記切断装置（４０）の前記収集フード（４６）と前記マニプレータ（４４）は、上部ガイド（１６）と前記炉心板（１８）の少なくとも一方の隣接し合う開口部の内部に位置するよう配置され、
前記原子炉上部ガイド（１６）は、複数の開口部（３６）を形成する複数の相互接続する梁（３４）を有し、
前記原子炉炉心板（１８）は、複数の開口部（３８）と複数の支持梁（３９）をするように構成された切断装置（４０）を利用して原子炉（１０）の構造的構成要素を切断する方法であって、
前記支持枠（４８）が前記原子炉上部ガイド（１６）と前記原子炉炉心板（１８）の少なくとも一方の上部表面にあって、前記マニプレータ（４４）と収集フード（４６）とが前記上部ガイド（１６）と前記炉心板（１８）の少なくとも一方の隣接する開口部に位置されるように、前記原子炉（１０）内に前記切断装置（４０）を位置決めする段階と、
前期切断ノズル（４２）で前記梁（３４）を切断する段階と、
を含むことを特徴とする切断方法。
【請求項１５】  前記マニプレータ（４４）は、線形枠（８４）と、前記線形枠（８４）に移動可能に連結されたノズル支持板（８６）と、前記ノズル支持板（８６）に連結された前記切断ノズル（４２）と、前記ノズル支持板（８６）に作動的に連結されたモータ（８８）と、を含み、
前記梁を切断する段階は、
研磨粒子を含む超高圧ウォータジェットを前記切断ノズル（４２）から放出する段階と、
前記ノズル支持板（８６）を前記線形枠（８４）の第１端（１１４）から第２端（１１６）へ移動する段階とを含むことを特徴とする請求項１４に記載の方法。
【請求項１６】  前記モータ（８８）は、駆動ベルト（９０）により前記ノズル支持板（８６）に作動的に連結され、
前記ノズル支持板（８６）を前記線形枠（８４）の第１端（１１４）から第２端（１１６）へ移動する段階は、前記駆動ベルト（９０）を動かして前記線形枠（８４）に沿って前記ノズル支持板（８６）を移動させるために前記モータ（８８）を起動する段階を含むことを特徴とする請求項１５に記載の方法。
【請求項１７】  前記モータ（８８）は、ボールねじにより前記ノズル支持板（８６）に作動的に連結され、
前記ノズル支持板（８６）を前記線形枠（８４）の第１端（１１４）から第２端（１１６）へ移動する段階は、前記ボールねじを回転して前記線形枠（８４）に沿って前記ノズル支持板（８６）を移動させるために前記モータ（８８）を起動する段階を含むことを特徴とする請求項１５に記載の方法。
【請求項１８】  前記収集フード（４６）は、前記収集室（９４）と前記支持枠（４８）とに連結された少なくとも１つの位置決めシリンダ（９８）と、を含み、
前記位置決めシリンダ（９８）は、上部ガイド梁（３４）及び炉心板梁（３９）のうちの少なくとも１つに隣接して前記収集室開口部（９６）を位置させるために配置され、
前記梁（３４）を切断する段階は、
前記収集室（９４）を前記切断ノズル（４２）の対向側に、上部ガイド梁（３４）及び炉心板梁（３９）のうちの少なくとも１つに隣接して位置させるために少なくとも１つの位置決めシリンダ（９８）を起動する段階と、
前記収集室（９４）において、前記放出水、使用済み研磨剤、及び、切片から出たカーフ材を収集する段階と、
を更に含むことを特徴とする請求項１５に記載の方法。
【請求項１９】  前記収集フード（４６）は、出口（１００）を含み、収集した水、使用済み研磨剤、及び、カーフ材を前記出口（１００）を通じて水濾過システムへ流す段階を更に含むことを特徴とする請求項１８に記載の方法。
【手続補正２】
【補正対象書類名】明細書
【補正対象項目名】０００４
【補正方法】変更
【補正の内容】
【０００４】
【発明が解決しようとする課題】
そこでレールに装着されたガントリーブリッジを原子炉上方に持たない、原子炉の内部構成要素部品を切断する切断装置を提供することが必要であろう。
【特許文献１】  米国特許第２９８５０５０号  １９６１年５月発行
【特許文献２】  米国特許第５０６５５５１号  １９９１年１１月発行
【特許文献３】  米国特許第５２９５４２５号  １９９４年３月発行
【特許文献４】  米国特許第５７０４８２４号  １９９８年１月発行
【特許文献５】  米国特許第５７７８７１３号  １９９８年７月発行
【特許文献６】  欧州特許第４２０７８７号  １９９０年９月発行
【特許文献７】  欧州特許第１１１０６７０号  ２００１年６月発行